(57)【要約】  【課題】  開閉パネルをフロントパネルに取り付ける際に、開閉パネルを、フロントパネルの開口部を閉じる方向に付勢するばねを取り付け容易にすることができるディスクプレーヤを提供する。  【解決手段】  リブ１４を一方の支持レバー６ｂにおける支軸６ｃと所定間隔を置いて支持レバー６ｂに形成し、ばね１０を支持レバー６ｂにおける支軸１４に装着する際に、ばね１０の一端１０ａをリブ１４に係合させるように構成した。したがって、ばね１０を支軸１４に装着する際に、ばね１０の一端１０ａをリブ１４に係合させ、ばね１０を捻じれた状態で、その他端１０ｂをフロントパネルの裏面に引っ掛けることが容易になり、これにより、ばね１０の取り付け作業が簡単になり、また、開閉パネル６のフロントパネルに対する左右の位置決めも容易になる。【選択図】      図３
2005327357.tif 000002
【特許請求の範囲】
【請求項１】
装置本体の前面に設けられたフロントパネルと、該フロントパネルの所定箇所に設けら
れ装置本体に対してディスクトレイが出し入れされる開口部と、前記ディスクトレイの移
動動作に連動させて前記開口部の開閉を行う開閉パネルとを有するディスクプレーヤにお
いて、前記フロントパネルの裏面の左右両端部付近に形成された一対の軸受けと、前記開
閉パネルの裏面の左右両端部付近に形成された一対の支持レバーと、該支持レバーの先端
部付近に形成された支軸と、該支軸が前記軸受けに嵌め込まれた後、前記開閉パネルを常
時閉じる方向に付勢するために前記一対の支持レバーのうち一方の支持レバーにおける支
軸に装着されるばねとを備え、先端が丸くなったリブを前記一方の支持レバーにおける支
軸と所定間隔を置いて該一方の支持レバーに形成し、前記ばねを前記一方の支持レバーに
おける支軸に装着する際に、該ばねの一端を前記リブに係合させるように構成したことを
特徴とするディスクプレーヤ。
【請求項２】
装置本体の前面に設けられたフロントパネルと、該フロントパネルの所定箇所に設けら
れ装置本体に対してディスクトレイが出し入れされる開口部と、前記ディスクトレイの移
動動作に連動させて前記開口部の開閉を行う開閉パネルとを有するディスクプレーヤにお
いて、前記開閉パネルを常時閉じる方向に付勢するばねを、前記開閉パネルに形成された
支持レバーの支軸に装着する際に、該ばねの一端を係合させるためのリブを、前記支持レ
バーに形成したことを特徴とするディスクプレーヤ。
【請求項３】
前記フロントパネルの裏面の左右両端部付近に形成された一対の軸受けと、前記開閉パ
ネルの裏面の左右両端部付近に形成された一対の支持レバーと、該支持レバーの先端部付
近に形成された支軸と、該支軸が前記軸受けに嵌め込まれた後、前記開閉パネルを常時閉
じる方向に付勢するために前記一対の支持レバーのうち一方の支持レバーにおける支軸に
装着されるばねとを備え、前記リブを前記一方の支持レバーにおける支軸と所定間隔を置
いて該一方の支持レバーに形成したことを特徴とする請求項２に記載のディスクプレーヤ
。
【請求項４】
前記リブの先端を丸くしたことを特徴とする請求項２に記載のディスクプレーヤ。
【発明の詳細な説明】
【技術分野】
【０００１】
本発明は、ディスクを載置するディスクトレイの移動動作に連動させてフロントパネル
の開口部の開閉を行う開閉パネルを有するディスクプレーヤに関する。
【背景技術】
【０００２】
図５は、この種のディスクプレーヤが搭載されたテレビジョン一体型ディスクプレーヤ
の要部を示す側面図である。図６は従来のテレビジョン一体型ディスクプレーヤ（例えば
特許文献１の従来技術）の要部を示す背面図である。図７は図６に示すテレビジョン一体
型ディスクプレーヤの要部を示す分解斜視図である。
【０００３】
図５に示すように、このテレビジョン一体型ディスクプレーヤは、前後進ａ，ｂ可能な
ディスクトレイ１ａを有するディスクプレーヤ本体１と、テレビジョン受像機２とから構
成されている。ディスクプレーヤ本体１とテレビジョン受像機２とは、フロントパネル３
ａおよびリアパネル３ｂから成る筐体３内に設けられ、フロントパネル３ａには、テレビ
ジョン受像機２に対向する開口窓４とディスクプレーヤ本体１に対向する開口部５とが形
成されている。また、開口部５には、この開口部５を開閉する開閉パネル６が配置されて
おり、開閉パネル６が開いてディスクトレイ１ａがディスクプレーヤ本体１から送出され
ることにより、ディスクトレイ１ａに対して光ディスクＤが着脱可能になる。
【０００４】
図６および図７に示すように、開閉パネル６は、矩形横長状パネル本体６ａと、このパ
ネル本体６ａの裏面両端に一体形成した左右一対の略コ字状の支持レバー６ｂ，６ｂと、
各支持レバー６ｂ，６ｂの先端部付近に同心状に一体突設した左右一対の支軸６ｃ，６ｄ
から成り、各支軸６ｃ，６ｄをフロントパネル３ａの裏面に突設した左右一対の軸受け９
，９に貫設した軸受孔９ａ，９ａに挿通し、その一方の支軸６ｃに装着したばね１０によ
り、開閉パネル６を常時閉鎖方向に付勢すると共に、その付勢力により他方の支軸６ｄの
端面をフロントパネル３ａの裏面に突設した位置決めリブ１１に当接させることにより、
開閉パネル６が開口部５内の所定位置に配置させている。
【０００５】
また、開口部５の上縁にストッパ１２が突設され、ストッパ１２に緩衝材１３が粘着さ
れており、ばね１０により開閉パネル６の上縁部が緩衝材１３を介してストッパ１２に押
し付けられて、開閉パネル６を閉鎖状態に保持しており、図示しないスピーカの振動によ
りストッパ１２と開閉パネル６とが繰り返し衝突して発生する騒音を緩衝材１３により吸
収する。
【特許文献１】特開２００３−８５９５６号公報
【特許文献２】特開平２−２７３３８９号公報
【特許文献３】特開平２−２１６６９１号公報
【特許文献４】実用新案登録第２５８２５３２号公報
【発明の開示】
【発明が解決しようとする課題】
【０００６】
ところで、開閉パネル６の支持レバー６ｂにおける支軸６ｃに、ばね１０を装着するに
は、支軸６ｃに、ばね１０を挿入すれば良いが、開閉パネル６を閉鎖する方向に付勢する
ようにばね１０を設定する必要があるので、ばね１０の一端１０ａを支持レバー６ｂの縁
に引っ掛け、その他端１０ｂがフロントパネル６の裏面に当接するようにしなければなら
ない。
【０００７】
しかしながら、ばね１０を支軸６ｃに挿入して、ばね１０の一端１０ａを支持レバー６
ｂの縁に引っ掛け、開閉パネル６が常時閉じる方向に付勢できるようにするため、ばね１
０を捻じらせた状態で、ばね１０の他端１０ｂをフロントパネル３ａの裏面に当接させな
ければならないが、ばね１０を捻じれた状態で設定する過程において、ばね１０の一端１
０ａが支持レバー６ｂの支軸６ｃの回りで回転したり、あるいは一端１０ａが支持レバー
６ｂの縁に引っ掛かっても、ばね１０の取り付け時に再びばね１０がある程度回動したり
する場合があるので、ばね１０の取り付け作業が煩わしいという課題が生じる。
【０００８】
また、開閉パネル６のフロントパネル３ａに対する位置決めは、ばね１０を取り付ける
前に、開閉パネル６の他方の支持レバー６ｂにおける支軸６ｄを位置決めリブ１１に当接
させるだけで、開閉パネル６のフロントパネル３ａに対する位置決めを行っているので、
ばね１０が圧縮する方向に力が加わった場合（開閉パネル６がばね１０側の方向に押され
たような場合）、開閉パネル６の位置がずれる虞があり、開閉パネル６の位置決め精度が
劣るという課題も生じる。
【０００９】
なお、特許文献２の従来技術は、フロントパネルに予め設けられたドア回転軸の押さえ
部に、偏芯したばね保持用軸にその捻回復元力でドアを開孔を塞ぐように付勢するドア開
閉用のばねが自己の伸長力により先付けされサブユニット化された弾性材質からなるドア
の両端に突出した保持部を挿入して、ドアを弾性変形させつつ、ドア軸を軸受部に差し込
むようにしているが、ばねの取り付け位置が図６で示すばねの取り付け位置と異なり、ま
た、このばねはドアの位置決めには関与していない。
【００１０】
特許文献３の従来技術は、磁気テープを挿入するパネル開口部を開閉するシャッター装
置に関するもので、ディスクを挿入する際に開く開閉パネルの構造とは異なる。
【００１１】
特許文献４の従来技術では、扉を閉める方向に付勢するトーションスプリングを扉の一
方の回転軸に挿入するようになっているが、扉の所定箇所にトーションスプリングの一端
を引っ掛ける作業が熟練を要し、ばねの取り付け作業が煩わしいという課題がある。
【００１２】
本発明は、上記のような課題を解決するためになされたもので、開閉パネルをフロント
パネルに取り付ける際に、開閉パネルを、フロントパネルの開口部を閉じる方向に付勢す
るばねを取り付け容易にすると共に、開閉パネルの位置決めも精度良く行うことができる
ディスクプレーヤを提供することを目的とする。
【課題を解決するための手段】
【００１３】
上記目的を達成するために、請求項１の発明は、装置本体の前面に設けられたフロント
パネルと、該フロントパネルの所定箇所に設けられ装置本体に対してディスクトレイが出
し入れされる開口部と、前記ディスクトレイの移動動作に連動させて前記開口部の開閉を
行う開閉パネルとを有するディスクプレーヤにおいて、前記フロントパネルの裏面の左右
両端部付近に形成された一対の軸受けと、前記開閉パネルの裏面の左右両端部付近に形成
された一対の支持レバーと、該支持レバーの先端部付近に形成された支軸と、該支軸が前
記軸受けに嵌め込まれた後、前記開閉パネルを常時閉じる方向に付勢するために前記一対
の支持レバーのうち一方の支持レバーにおける支軸に装着されるばねとを備え、先端が丸
くなったリブを前記一方の支持レバーにおける支軸と所定間隔を置いて該一方の支持レバ
ーに形成し、前記ばねを前記一方の支持レバーにおける支軸に装着する際に、該ばねの一
端を前記リブに係合させるように構成したことを特徴とするディスクプレーヤを提供する
。
【００１４】
この構成においては、先端が丸くなったリブが、一方の支持レバーにおける支軸と所定
間隔を置いて支持レバーに形成されたので、ばねを前記支軸に装着する際に、ばねの一端
をリブに係合させ、ばねを捻じれた状態で、その他端をフロントパネルの裏面に引っ掛け
ることが容易になり、これにより、ばねの取り付け作業が簡単になり、また、前記リブに
よっても、開閉パネルのフロントパネルに対する左右の位置決めを行うので、開閉パネル
の位置決めが容易になると共に位置決め精度も高くなる。また、リブの先端が丸くなって
いるので、軸受けとの摩擦が少なくなり、開閉パネルがスムーズに開閉可能になる。
【００１５】
請求項２の発明は、装置本体の前面に設けられたフロントパネルと、該フロントパネル
の所定箇所に設けられ装置本体に対してディスクトレイが出し入れされる開口部と、前記
ディスクトレイの移動動作に連動させて前記開口部の開閉を行う開閉パネルとを有するデ
ィスクプレーヤにおいて、前記開閉パネルを常時閉じる方向に付勢するばねを前記開閉パ
ネルに形成された支持レバーの支軸に装着する際に、該ばねの一端を係合させるためのリ
ブを前記支持レバーに形成したことを特徴とするディスクプレーヤを提供する。
【００１６】
この構成においては、リブが支持レバーに形成されたので、ばねを支持レバーの支軸に
装着する際に、ばねの一端をリブに係合させ、ばねを捻じれた状態で、その他端をフロン
トパネルの裏面に引っ掛けることが容易になり、これにより、ばねの取り付け作業が簡単
になり、また、前記リブによっても、開閉パネルのフロントパネルに対する左右の位置決
めを行うので、開閉パネルの位置決めが容易になると共に位置決め精度も高くなる。
【００１７】
請求項３の発明では、請求項２の発明において、フロントパネルの裏面の左右両端部付
近に形成された一対の軸受けと、開閉パネルの裏面の左右両端部付近に形成された一対の
支持レバーと、該支持レバーの先端部付近に形成された支軸と、該支軸が前記軸受けに嵌
め込まれた後、開閉パネルを常時閉じる方向に付勢するために一対の支持レバーのうち一
方の支持レバーにおける支軸に装着されるばねとを備え、リブを一方の支持レバーにおけ
る支軸と所定間隔を置いて該一方の支持レバーに形成したので、ばねを支軸に装着する際
に、ばねの一端をリブに係合させ、ばねを捻じれた状態で、その他端をフロントパネルの
裏面に引っ掛けることが容易になり、これにより、ばねの取り付け作業が簡単になり、ま
た、前記リブによっても、開閉パネルのフロントパネルに対する左右の位置決めを行うの
で、開閉パネルの位置決めが容易になると共に位置決め精度も高くなる。
【００１８】
請求項４の発明では、請求項２の発明において、前記リブの先端を丸くしたので、軸受
けとの摩擦が少なくなり、開閉パネルがスムーズに開閉可能になる。
【発明の効果】
【００１９】
以上のように本発明によれば、装置本体の前面に設けられたフロントパネルと、該フロ
ントパネルの所定箇所に設けられ装置本体に対してディスクトレイが出し入れされる開口
部と、前記ディスクトレイの移動動作に連動させて前記開口部の開閉を行う開閉パネルと
を有するディスクプレーヤにおいて、前記フロントパネルの裏面の左右両端部付近に形成
された一対の軸受けと、前記開閉パネルの裏面の左右両端部付近に形成された一対の支持
レバーと、該支持レバーの先端部付近に形成された支軸と、該支軸が前記軸受けに嵌め込
まれた後、前記開閉パネルを常時閉じる方向に付勢するために前記一対の支持レバーのう
ち一方の支持レバーにおける支軸に装着されるばねとを備え、先端が丸くなったリブを前
記一方の支持レバーにおける支軸と所定間隔を置いて該一方の支持レバーに形成し、前記
ばねを前記一方の支持レバーにおける支軸に装着する際に、該ばねの一端を前記リブに係
合させるように構成したので、ばねを前記支軸に装着する際に、ばねの一端をリブに係合
させ、ばねを捻じれた状態で、その他端をフロントパネルの裏面に引っ掛けることが容易
になり、これにより、ばねの取り付け作業が簡単になり、また、開閉パネルのフロントパ
ネルに対する左右の位置決めも容易になる。また、リブの先端が丸くなっているので、軸
受けとの摩擦が少なくなり、開閉パネルがスムーズに開閉可能になる。
【００２０】
また、本発明によれば、装置本体の前面に設けられたフロントパネルと、該フロントパ
ネルの所定箇所に設けられ装置本体に対してディスクトレイが出し入れされる開口部と、
前記ディスクトレイの移動動作に連動させて前記開口部の開閉を行う開閉パネルとを有す
るディスクプレーヤにおいて、前記開閉パネルを常時閉じる方向に付勢するばねを前記開
閉パネルに形成された支持レバーの支軸に装着する際に、該ばねの一端を係合させるため
のリブを前記支持レバーに形成したので、ばねを支持レバーの支軸に装着する際に、ばね
の一端をリブに係合させ、ばねを捻じれた状態で、その他端をフロントパネルの裏面に引
っ掛けることが容易になり、これにより、ばねの取り付け作業が簡単になり、また、開閉
パネルのフロントパネルに対する左右の位置決めも容易になる。
【発明を実施するための最良の形態】
【００２１】
以下、添付図面を参照しつつ、本発明の実施の形態について説明する。図１は、本発明
の一実施形態に係るディスクプレーヤが搭載されたテレビジョン一体型ディスクプレーヤ
の要部を示す背面図である。図２は、そのテレビジョン一体型ディスクプレーヤの要部を
示す分解斜視図である。図３は、図２中の開閉パネルの部分を拡大した斜視図である。図
４は、図３中の開閉パネルの一方の支持レバー付近を上から見て支軸が軸受けに嵌合され
ている状態を示す上面図である。
【００２２】
図１〜図４に示すように、開閉パネル６は、矩形横長状パネル本体６ａと、このパネル
本体６ａの裏面両端に一体形成された左右一対の略コ字状の支持レバー６ｂ，６ｂと、各
支持レバー６ｂ，６ｂの先端部付近に同心状に一体突設した左右一対の支軸６ｃ，６ｄか
ら成り、各支軸６ｃ，６ｄをフロントパネル３ａの裏面に突設した左右一対の軸受け９，
９に貫設した軸受孔９ａ，９ａに挿通し、その一方の支軸６ｃに装着されたばね１０によ
り、開閉パネル６を常時閉鎖方向に付勢すると共に、その付勢力により他方の支軸６ｄの
端面をフロントパネル３ａの裏面に突設した位置決めリブ１１に当接させることにより、
開閉パネル６を開口部５内の所定位置に配置させている。
【００２３】
また、開口部５の上縁にストッパ１２が突設され、ストッパ１２に緩衝材１３が粘着さ
れており、ばね１０により開閉パネル６の上縁部が緩衝材１３を介してストッパ１２に押
し付けられて、開閉パネル６を閉鎖状態に保持しており、図示しないスピーカの振動によ
りストッパ１２と開閉パネル６とが繰り返し衝突して発生する騒音を緩衝材１３により吸
収する。
【００２４】
以上のような構成に加え、本実施形態では、先端が丸くなった（Ｒを付けた）リブ１４
を、支持レバー６ｂにおける支軸６ｃと所定間隔を置いて該支持レバー６ｂに形成し、ば
ね１０を支持レバー６ｂにおける支軸６ｃに装着する際に、ばね１０の一端１０ａをリブ
１４に係合させるようにしている。このようなリブ１４を開閉パネル６における支持レバ
ー６ｂの先端部付近に形成したことにより、ばね１０を支持レバー６ｂの支軸６ｃに装着
する際に、ばね１０の一端１０ａをリブ１４に係合させ、ばね１０を捻じれた状態で、そ
の他端１０ｂをフロントパネル３ａの裏面に引っ掛けることが容易になり、これにより、
ばね１０の取り付け作業が簡単になる。また、位置決めリブ１１とリブ１４により、開閉
パネル６のフロントパネル３ａに対する左右の位置決めを行うので、開閉パネル６の位置
決めが容易になると共に位置決め精度も高くなる。
【００２５】
なお、前記実施形態では、テレビジョン一体型ディスクプレーヤを例に挙げて説明した
が、これに限らず、例えば、単体型ディスクプレーヤにも適用することができる。
【図面の簡単な説明】
【００２６】
【図１】本発明の一実施形態に係るディスクプレーヤが搭載されたテレビジョン一体型ディスクプレーヤの要部を示す背面図である。
【図２】前記実施形態におけるテレビジョン一体型ディスクプレーヤの要部を示す分解斜視図である。
【図３】図２中の開閉パネルの部分を拡大した斜視図である。
【図４】図３中の開閉パネルの一方の支持レバー付近を上から見て支軸が軸受けに嵌合されている状態を示す上面図である。
【図５】この種のディスクプレーヤが搭載されたテレビジョン一体型ディスクプレーヤの要部を示す側面図である。
【図６】従来のテレビジョン一体型ディスクプレーヤの要部を示す背面図である。
【図７】図６に示すテレビジョン一体型ディスクプレーヤの要部を示す分解斜視図である。
【符号の説明】
【００２７】
１ａ    ディスクトレイ
３ａ    フロントパネル
５    開口部
６    開口パネル
６ｂ    支持レバー
６ｃ，６ｄ    支軸
９    軸受け
１０    ばね
１４    リブ
【図１】
2005327357.tif 000003
【図２】
2005327357.tif 000004
【図３】
2005327357.tif 000005
【図４】
2005327357.tif 000006
【図５】
2005327357.tif 000007
【図６】
2005327357.tif 000008
【図７】
2005327357.tif 000009